【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  電子写真感光体と、
該電子写真感光体を露光する露光手段と
を有する画像形成装置において、
画像出力終了時点からの所定時間間隔を区切る第１タイマ手段と、
該第１タイマ手段の前記所定時間間隔の区切りを終了した後であって次の画像出力の直前に、前記電子写真感光体上の明部電位を測定する第１測定手段と、
該第１測定手段により測定された明部電位と、前記第１測定手段により明部電位が測定された時点における前記露光手段の露光量とにより、目標となる明部電位を得るための露光量を算出する第１算出手段と、
該第１算出手段により算出された露光量により前記露光手段の露光量を調整する第１調整手段と
を有することを特徴とする画像形成装置。
【請求項２】  請求項１において、
前記露光手段の露光量の調整の終了時点からの所定時間間隔を区切る第２タイマ手段と、
該第２タイマ手段の前記所定時間間隔の区切りを終了した後であって次の画像出力の直前に、前記電子写真感光体上の明部電位を測定する第２測定手段と、
該第２測定手段により測定された明部電位と、前記第２測定手段により明部電位が測定された時点における前記露光手段の露光量とにより、目標となる明部電位を得るための露光量を算出する第２算出手段と、
該第２算出手段により算出された露光量により前記露光手段の露光量を調整する第２調整手段と
を有することを特徴とする画像形成装置。
【請求項３】  請求項１において、
前記露光手段の露光量の調整の終了時点からの所定時間間隔を区切る第３タイマ手段と、
該第３タイマ手段の前記所定時間間隔の区切りを終了した後であって次の画像出力の直後に、前記電子写真感光体上の明部電位を測定する第３測定手段と、
該第３測定手段により測定された明部電位と、前記第３測定手段により明部電位が測定された時点における前記露光手段の露光量とにより、目標となる明部電位を得るための露光量を算出する第３算出手段と、
該第３算出手段により算出された露光量により前記露光手段の露光量を調整する第３調整手段と
を有することを特徴とする画像形成装置。
【請求項４】  請求項１ないし３のいずれかにおいて、
本装置の電源投入の時点からの所定時間間隔を区切る第４タイマ手段と、
該第４タイマ手段の前記所定時間間隔の区切りを終了した後であって次の画像出力の直前に、前記電子写真感光体上の明部電位を測定する第４測定手段と、
該第４測定手段により測定された明部電位と、前記第４測定手段により明部電位が測定された時点における前記露光手段の露光量とにより、目標となる明部電位を得るための露光量を算出する第４算出手段と、
該第４算出手段により算出された露光量により前記露光手段の露光量を調整する第４調整手段と
を有することを特徴とする画像形成装置。
【請求項５】  請求項１ないし３のいずれかにおいて、
本装置の電源投入の時点からの所定時間間隔を区切る第５タイマ手段と、
該第５タイマ手段の前記所定時間間隔の区切りを終了した後であって次の画像出力の直後に、前記電子写真感光体上の明部電位を測定する第５測定手段と、
該第５測定手段により測定された明部電位と、前記第５測定手段により明部電位が測定された時点における前記露光手段の露光量とにより、目標となる明部電位を得るための露光量を算出する第５算出手段と、
該第５算出手段により算出された露光量により前記露光手段の露光量を調整する第５調整手段と
を有することを特徴とする画像形成装置。
【請求項６】  電子写真感光体と、該電子写真感光体を露光する露光手段と
を有する画像形成装置の明部電位安定化方法において、
画像出力終了時点からの所定時間間隔を区切るタイマ手段の前記所定時間間隔の区切りを終了した後であって次の画像出力の直前に、前記電子写真感光体上の明部電位を測定する第１測定ステップと、
該第１測定ステップにより測定された明部電位と、前記第１測定ステップにより明部電位が測定された時点における前記露光ステップの露光量とにより、目標となる明部電位を得るための露光量を算出する第１算出ステップと、
該第１算出ステップにより算出された露光量により前記露光ステップの露光
量を調整する第１調整ステップと
を有することを特徴とする明部電位安定化方法。
【請求項７】  請求項６において、
前記露光手段の露光量の調整の終了時点からの所定時間間隔を区切るタイマ手段の前記所定時間間隔の区切りを終了した後であって次の画像出力の直前に、前記電子写真感光体上の明部電位を測定する第２測定ステップと、
該第２測定ステップにより測定された明部電位と、前記第２測定ステップにより明部電位が測定された時点における前記露光手段の露光量とにより、目標となる明部電位を得るための露光量を算出する第２算出ステップと、
該第２算出ステップにより算出された露光量により前記露光手段の露光量を調整する第２調整ステップと
を有することを特徴とする明部電位安定化方法。
【請求項８】  請求項６において、
前記露光手段の露光量の調整の終了時点からの所定時間間隔を区切るタイマ手段の前記所定時間間隔の区切りを終了した後であって次の画像出力の直後に、前記電子写真感光体上の明部電位を測定する第３測定ステップと、
該第３測定ステップにより測定された明部電位と、前記第３測定ステップにより明部電位が測定された時点における前記露光手段の露光量とにより、目標となる明部電位を得るための露光量を算出する第３算出ステップと、
該第３算出ステップにより算出された露光量により前記露光手段の露光量を調整する第３調整ステップと
を有することを特徴とする明部電位安定化方法。
【請求項９】  請求項６ないし８のいずれかにおいて、
本装置の電源投入の時点からの所定時間間隔を区切るタイマ手段の前記所定時間間隔の区切りを終了した後であって次の画像出力の直前に、前記電子写真感光体上の明部電位を測定する第４測定ステップと、
該第４測定ステップにより測定された明部電位と、前記第４測定ステップにより明部電位が測定された時点における前記露光手段の露光量とにより、目標となる明部電位を得るための露光量を算出する第４算出ステップと、
該第４算出ステップにより算出された露光量により前記露光手段の露光量を調整する第４調整ステップと
を有することを特徴とする明部電位安定化方法。
【請求項１０】  請求項６ないし８のいずれかにおいて、
本装置の電源投入の時点からの所定時間間隔を区切るタイマ手段の前記所定時間間隔の区切りを終了した後であって次の画像出力の直後に、前記電子写真感光体上の明部電位を測定する第５測定ステップと、
該第５測定ステップにより測定された明部電位と、前記第５測定ステップにより明部電位が測定された時点における前記露光手段の露光量とにより、目標となる明部電位を得るための露光量を算出する第５算出ステップと、
該第５算出ステップにより算出された露光量により前記露光手段の露光量を調整する第５調整ステップと
を有することを特徴とする明部電位安定化方法。
【手続補正２】
【補正対象書類名】明細書
【補正対象項目名】００１３
【補正方法】変更
【補正の内容】
【００１３】
【課題を解決するための手段】
請求項１の発明は、電子写真感光体と、該電子写真感光体を露光する露光手段とを有する画像形成装置において、画像出力終了時点からの所定時間間隔を区切る第１タイマ手段と、該第１タイマ手段の前記所定時間間隔の区切りを終了した後であって次の画像出力の直前に、前記電子写真感光体上の明部電位を測定する第１測定手段と、該第１測定手段により測定された明部電位と、前記第１測定手段により明部電位が測定された時点における前記露光手段の露光量とにより、目標となる明部電位を得るための露光量を算出する第１算出手段と、該第１算出手段により算出された露光量により前記露光手段の露光量を調整する第１調整手段とを有することを特徴とする。
【手続補正３】
【補正対象書類名】明細書
【補正対象項目名】００１４
【補正方法】変更
【補正の内容】
【００１４】
請求項１において、前記露光手段の露光量の調整の終了時点からの所定時間間隔を区切る第２タイマ手段と、該第２タイマ手段の前記所定時間間隔の区切りを終了した後であって次の画像出力の直前に、前記電子写真感光体上の明部電位を測定する第２測定手段と、該第２測定手段により測定された明部電位と、前記第２測定手段により明部電位が測定された時点における前記露光手段の露光量とにより、目標となる明部電位を得るための露光量を算出する第２算出手段と、該第２算出手段により算出された露光量により前記露光手段の露光量を調整する第２調整手段とを有することができる。
【手続補正４】
【補正対象書類名】明細書
【補正対象項目名】００１５
【補正方法】変更
【補正の内容】
【００１５】
請求項１において、前記露光手段の露光量の調整の終了時点からの所定時間間隔を区切る第３タイマ手段と、該第３タイマ手段の前記所定時間間隔の区切りを終了した後であって次の画像出力の直後に、前記電子写真感光体上の明部電位を測定する第３測定手段と、該第３測定手段により測定された明部電位と、前記第３測定手段により明部電位が測定された時点における前記露光手段の露光量とにより、目標となる明部電位を得るための露光量を算出する第３算出手段と、該第３算出手段により算出された露光量により前記露光手段の露光量を調整する第３調整手段とを有することができる。
【手続補正５】
【補正対象書類名】明細書
【補正対象項目名】００１６
【補正方法】変更
【補正の内容】
【００１６】
請求項１ないし３のいずれかにおいて、本装置の電源投入の時点からの所定時間間隔を区切る第４タイマ手段と、該第４タイマ手段の前記所定時間間隔の区切りを終了した後であって次の画像出力の直前に、前記電子写真感光体上の明部電位を測定する第４測定手段と、該第４測定手段により測定された明部電位と、前記第４測定手段により明部電位が測定された時点における前記露光手段の露光量とにより、目標となる明部電位を得るための露光量を算出する第４算出手段と、該第４算出手段により算出された露光量により前記露光手段の露光量を調整する第４調整手段とを有することができる。
【手続補正６】
【補正対象書類名】明細書
【補正対象項目名】００１７
【補正方法】変更
【補正の内容】
【００１７】
請求項１ないし３のいずれかにおいて、本装置の電源投入の時点からの所定時間間隔を区切る第５タイマ手段と、該第５タイマ手段の前記所定時間間隔の区切りを終了した後であって次の画像出力の直後に、前記電子写真感光体上の明部電位を測定する第５測定手段と、該第５測定手段により測定された明部電位と、前記第５測定手段により明部電位が測定された時点における前記露光手段の露光量とにより、目標となる明部電位を得るための露光量を算出する第５算出手段と、該第５算出手段により算出された露光量により前記露光手段の露光量を調整する第５調整手段とを有することができる。
【手続補正７】
【補正対象書類名】明細書
【補正対象項目名】００１８
【補正方法】変更
【補正の内容】
【００１８】
請求項６の発明は、電子写真感光体と、該電子写真感光体を露光する露光手段とを有する画像形成装置の明部電位安定化方法において、画像出力終了時点からの所定時間間隔を区切るタイマ手段の前記所定時間間隔の区切りを終了した後であって次の画像出力の直前に、前記電子写真感光体上の明部電位を測定する第１測定ステップと、該第１測定ステップにより測定された明部電位と、前記第１測定ステップにより明部電位が測定された時点における前記露光ステップの露光量とにより、目標となる明部電位を得るための露光量を算出する第１算出ステップと、該第１算出ステップにより算出された露光量により前記露光ステップの露光量を調整する第１調整ステップとを有することを特徴とする。
【手続補正８】
【補正対象書類名】明細書
【補正対象項目名】００１９
【補正方法】変更
【補正の内容】
【００１９】
請求項６において、前記露光手段の露光量の調整の終了時点からの所定時間間隔を区切るタイマ手段の前記所定時間間隔の区切りを終了した後であって次の画像出力の直前に、前記電子写真感光体上の明部電位を測定する第２測定ステップと、該第２測定ステップにより測定された明部電位と、前記第２測定ステップにより明部電位が測定された時点における前記露光手段の露光量とにより、目標となる明部電位を得るための露光量を算出する第２算出ステップと、該第２算出ステップにより算出された露光量により前記露光手段の露光量を調整する第２調整ステップとを有することができる。
【手続補正９】
【補正対象書類名】明細書
【補正対象項目名】００２０
【補正方法】変更
【補正の内容】
【００２０】
請求項６において、前記露光手段の露光量の調整の終了時点からの所定時間間隔を区切るタイマ手段の前記所定時間間隔の区切りを終了した後であって次の画像出力の直後に、前記電子写真感光体上の明部電位を測定する第３測定ステップと、該第３測定ステップにより測定された明部電位と、前記第３測定ステップにより明部電位が測定された時点における前記露光手段の露光量とにより、目標となる明部電位を得るための露光量を算出する第３算出ステップと、該第３算出ステップにより算出された露光量により前記露光手段の露光量を調整する第３調整ステップとを有することができる。
【手続補正１０】
【補正対象書類名】明細書
【補正対象項目名】００２１
【補正方法】変更
【補正の内容】
【００２１】
請求項６ないし８のいずれかにおいて、本装置の電源投入の時点からの所定時間間隔を区切るタイマ手段の前記所定時間間隔の区切りを終了した後であって次の画像出力の直前に、前記電子写真感光体上の明部電位を測定する第４測定ステップと、該第４測定ステップにより測定された明部電位と、前記第４測定ステップにより明部電位が測定された時点における前記露光手段の露光量とにより、目標となる明部電位を得るための露光量を算出する第４算出ステップと、該第４算出ステップにより算出された露光量により前記露光手段の露光量を調整する第４調整ステップとを有することができる。
【手続補正１１】
【補正対象書類名】明細書
【補正対象項目名】００２２
【補正方法】変更
【補正の内容】
【００２２】
請求項６ないし８のいずれかにおいて、本装置の電源投入の時点からの所定時間間隔を区切るタイマ手段の前記所定時間間隔の区切りを終了した後であって次の画像出力の直後に、前記電子写真感光体上の明部電位を測定する第５測定ステップと、該第５測定ステップにより測定された明部電位と、前記第５測定ステップにより明部電位が測定された時点における前記露光手段の露光量とにより、目標となる明部電位を得るための露光量を算出する第５算出ステップと、該第５算出ステップにより算出された露光量により前記露光手段の露光量を調整する第５調整ステップとを有することができる。